(57)【要約】【課題】チャイルドレジスタンス性を維持しつつ、シート状包装物の取り出し、挿入を容易に行える包装体および包装体のシート状包装物収容方法を提供する。【解決手段】所定方向に延びる収容部１５と、所定方向の一方側で収容部を開閉可能な蓋部１３とを有する袋体１０と、内容物Ｔを収納したシート状に形成されたシート状包装物２０と、収容部にシート状包装物と重ねられて収容可能であり、二つ折りにされた折り目の谷の部分がシート状包装物の所定方向の他方側に係合する係合片３０とを備える。収容部は、シート状包装物および係合片が非収容のときの高さが、重ねられたシート状包装物および係合片の最大厚さよりも小さく形成され、係合片は、折り目よりも一端側がシート状包装物の最大厚さとなる部分に掛かり、折り目よりも他端側の先端がシート状包装物の一方側の端部よりも一方側に延出している。【選択図】図１
2018135112.tif 000002
【特許請求の範囲】
【請求項１】
所定方向に延びる収容部と、前記所定方向の一方側で前記収容部を開閉可能な蓋部とを有する袋体と、
内容物を収納したシート状に形成され前記収容部に収容可能なシート状包装物と、
前記収容部に前記シート状包装物と重ねられて収容可能であり、二つ折りにされた折り目の谷の部分が前記シート状包装物の前記所定方向の他方側に係合するシート状の係合片とを備え、
前記収容部は、前記シート状包装物および前記係合片が非収容のときの高さが、重ねられた前記シート状包装物および前記係合片の最大厚さよりも小さく形成され、
前記係合片は、前記折り目よりも一端側が前記シート状包装物の最大厚さとなる部分に掛かり、前記折り目よりも他端側の先端が前記シート状包装物の前記一方側の端部よりも前記一方側に延出していることを特徴とする包装体。
【請求項２】
前記シート状包装物は、前記蓋部を開いたときに、前記シート状包装物の方が前記一方側に延出する前記係合片よりも開口部において厚さ方向上面側に配置されていることを特徴とする請求項１記載の包装体。
【請求項３】
前記係合片は、前記内容物に関する情報が記載され前記所定方向に延びるシート状に折り畳まれた書類であることを特徴とする請求項１または２記載の包装体。
【請求項４】
所定方向に延びる収容部と、前記所定方向の一方側で前記収容部を開閉可能な蓋部とを有する袋体に、内容物を収納したシート状に形成されたシート状包装物を収容する方法であって、
二つ折りにされた折り目の谷の部分が前記シート状包装物の前記所定方向の他方側に係合し、前記折り目よりも長さ方向一端側が前記シート状包装物の最大厚さとなる部分に掛って配置され、前記折り目よりも長さ方向他端側の端部が前記シート状包装物の前記一方側の端部よりも前記一方側に延出して配置されたシート状の係合片を準備することと、
前記シート状包装物および前記係合片が非収容のときの高さが、重ねられた前記シート状包装物および前記係合片の最大厚さよりも小さい収容部を有する袋体を準備することと、
前記係合片を係合させた前記シート状包装物を、前記係合片の他端側を前記所定方向の一方側に位置させて前記収容部に収容することと、
を含むことを特徴とする包装体のシート状包装物収容方法。
【請求項５】
前記シート状包装物は、前記蓋部を開いたときに、前記シート状包装物の方が前記一方側に延出する前記係合片よりも開口部において厚さ方向上面側に配置されていることを特徴とする請求項４記載の包装体のシート状包装物収容方法。
【請求項６】
前記係合片は、前記内容物に関する情報が記載され前記所定方向に延びるシート状に折り畳まれた書類であることを特徴とする請求項４または５記載の包装体のシート状包装物収容方法。
【発明の詳細な説明】
【技術分野】
【０００１】
本発明は、包装体および包装体のシート状包装物収容方法に関するものである。
【背景技術】
【０００２】
従来、薬剤を収納したＰＴＰ（Press-Through-Package）シートやＳＰ（strip package）シート等のシート状包装物から錠剤やカプセル等を不用意に取り出すことを防ぐために、チャイルドレジスト機能が付いた包装体がある。
【０００３】
例えば、特許文献１には、ＰＴＰシートの突出部が係合する係止板を側面板の一方の裏面に配置し、側面板の他方に面方向の力を加えたときに係止板から側面板が離れる方向にたわむ折り曲げ線を備える包装体が開示されている。上記の包装体では、ＰＴＰシートを取り出す際には側面板の他方に面方向の力を加えることが必要であるため、子供が取り出すことは難しく、大人には取り出しやすい構成を有している。
【先行技術文献】
【特許文献】
【０００４】
【特許文献１】特開２０１６−２１６０７１号公報
【発明の概要】
【発明が解決しようとする課題】
【０００５】
しかしながら、上述したような包装体および包装体のシート状包装物収容方法では、大人であっても力の弱い女性や高齢者にはシート状包装物が取り出し難いという問題が生じる。
【０００６】
本発明は、以上のような点を考慮してなされたもので、チャイルドレジスタンス性を維持しつつ、シート状包装物の取り出し、挿入を容易に行える包装体および包装体のシート状包装物収容方法を提供することを目的とする。
【課題を解決するための手段】
【０００７】
本発明の第１の態様に従えば、所定方向に延びる収容部と、前記所定方向の一方側で前記収容部を開閉可能な蓋部とを有する袋体と、内容物を収納したシート状に形成され前記収容部に収容可能なシート状包装物と、前記収容部に前記シート状包装物と重ねられて収容可能であり、二つ折りにされた折り目の谷の部分が前記シート状包装物の前記所定方向の他方側に係合するシート状の係合片とを備え、前記収容部は、前記シート状包装物および前記係合片が非収容のときの高さが、重ねられた前記シート状包装物および前記係合片の最大厚さよりも小さく形成され、前記係合片は、前記折り目よりも一端側が前記シート状包装物の最大厚さとなる部分に掛かり、前記折り目よりも他端側の先端が前記シート状包装物の前記一方側の端部よりも前記一方側に延出していることを特徴とする包装体が提供される。
【０００８】
また、上記本発明の一態様に係る包装体において、前記シート状包装物は、前記蓋部を開いたときに、前記シート状包装物の方が前記一方側に延出する前記係合片よりも開口部において厚さ方向上面側に配置されていることを特徴とする。
【０００９】
また、上記本発明の一態様に係る包装体において、前記係合片は、前記内容物に関する情報が記載され前記所定方向に延びるシート状に折り畳まれた書類であることを特徴とする。
【００１０】
本発明の第２の態様に従えば、所定方向に延びる収容部と、前記所定方向の一方側で前記収容部を開閉可能な蓋部とを有する袋体に、内容物を収納したシート状に形成されたシート状包装物を収容する方法であって、二つ折りにされた折り目の谷の部分が前記シート状包装物の前記所定方向の他方側に係合し、前記折り目よりも長さ方向一端側が前記シート状包装物の最大厚さとなる部分に掛って配置され、前記折り目よりも長さ方向他端側の端部が前記シート状包装物の前記一方側の端部よりも前記一方側に延出して配置されたシート状の係合片を準備することと、前記シート状包装物および前記係合片が非収容のときの高さが、重ねられた前記シート状包装物および前記係合片の最大厚さよりも小さい収容部を有する袋体を準備することと、前記係合片を係合させた前記シート状包装物を、前記係合片の他端側を前記所定方向の一方側に位置させて前記収容部に収容することと、を含むことを特徴とする包装体のシート状包装物収容方法が提供される。
【００１１】
また、上記本発明の一態様に係る包装体のシート状包装物収容方法において、前記シート状包装物は、前記蓋部を開いたときに、前記シート状包装物の方が前記一方側に延出する前記係合片よりも開口部において厚さ方向上面側に配置されていることを特徴とする。
【００１２】
また、上記本発明の一態様に係る包装体のシート状包装物収容方法において、前記係合片は、前記内容物に関する情報が記載され前記所定方向に延びるシート状に折り畳まれた書類であることを特徴とする。
【発明の効果】
【００１３】
本発明では、チャイルドレジスタンス性を維持しつつ、シート状包装物の取り出し、挿入を容易に行うことができる。
【図面の簡単な説明】
【００１４】
【図１】第１実施形態に係る包装体１の平面図である。
【図２】同包装体１の正面図である。
【図３】図１における左側面図である。
【図４】包装体１においてシート状包装物２０を取り出す手順を示す図である。
【図５】包装体１においてシート状包装物２０を取り出す手順を示す図である。
【図６】第２実施形態に係る包装体１の平面図である。
【図７】同包装体１の正面図である。
【図８】第２実施形態に係る包装体１においてシート状包装物２０Ａを取り出す手順を示す図である。
【図９】第２実施形態に係る包装体１においてシート状包装物２０Ａを取り出す手順を示す図である。
【発明を実施するための形態】
【００１５】
以下、本発明の包装体および包装体のシート状包装物収容方法の実施の形態を、図１ないし図９を参照して説明する。
なお、以下の実施形態は、本発明の一態様を示すものであり、この発明を限定するものではなく、本発明の技術的思想の範囲内で任意に変更可能である。また、以下の図面においては、各構成をわかりやすくするために、実際の構造と各構造における縮尺や数等を異ならせている。
【００１６】
［第１実施形態］
図１は、第１実施形態に係る包装体１の平面図である。図２は、包装体１の正面図である。図３は、図１における左側面図である。
図１乃至図３に示すように、包装体１は、袋体１０と、袋体１０に収容可能なシート状包装物２０および係合片３０とを有している。
袋体１０は、図１中の左右方向（所定方向）を長手方向とする平面視で略矩形状に形成されている。
【００１７】
なお、以下の説明では、図１における袋体１０の長手方向と直交する方向を幅方向とし、袋体１０の長手方向および幅方向と直交する図１における紙面と直交する方向（図２および図３における上下方向）を厚さ方向として適宜説明する。
【００１８】
袋体１０は、上面板１１と下面板１２とを有している。下面板１２は、長手方向の一方側（図１および図２における右側、以下、単に一方側と称する）に、上面板１１の端縁よりも延出した蓋部１３を有している。上面板１１は、長手方向一方側に開口する切欠部１４を有している。上面板１１と下面板１２とは、蓋部１３および切欠部１４を除いて互いに対向する大きさおよび形状に形成されている。なお、図１においては、上面板１１の一部を切り欠いてシート状包装物２０および係合片３０の一部が露出した状態が示されている。
【００１９】
上面板１１と下面板１２とは、幅方向の両側において長手方向全体に亘って互いに接着されている。上面板１１と下面板１２とは、長手方向の他方側（図１および図２における左側、以下、単に他方側と称する）において幅方向の全体に亘って接着されている。袋体１０は、上面板１１と下面板１２とが幅方向の両側および長手方向の他方側が接着されることにより、上面板１１と下面板１２との間に、幅方向の中央側に長手方向に延びて切欠部１４が開口部として形成された収容部１５を有している。収容部１５の長手方向の長さは、シート状包装物２０の長手方向の長さよりも大きく形成されている。
【００２０】
シート状包装物２０および係合片３０を収容しない状態での、包装体１の厚さ方向における収容部１５の高さは、後述するように、重ねられたシート状包装物２０および係合片３０の最大厚さよりも小さく形成されている。収容部１５の幅は、シート状包装物２０および係合片３０の最大幅よりも大きく形成されている。
【００２１】
蓋部１３は、長手方向に関して切欠部１４の長さよりも大きい長さで一方側に延出している。蓋部１３は、先端側に向かうに従って幅が狭くなる先細り形状に形成されている。蓋部１３の先端の幅は、切欠部１４の幅よりも小さく形成されている。蓋部１３の上面には、折り曲げ線１３ａ、１３ｂが形成されている。折り曲げ線１３ａは、上面板１１の一方側端縁の位置に幅方向に沿って形成されている。折り曲げ線１３ｂは、折り曲げ線１３ａよりも一方側に幅方向に沿って形成されている。折り曲げ線１３ａと折り曲げ線１３ｂとの距離は、例えば、重ねられたシート状包装物２０および係合片３０の最大厚さである。折り曲げ線１３ａ、１３ｂは、いずれも谷折りとなる線である。
【００２２】
蓋部１３は、折り曲げ線１３ａ、１３ｂを谷折りとして折り曲げて長手方向の他方側に折り返し、先端部を切欠部１４を介して収容部１５に挿入することで収容部１５を閉塞する。蓋部１３は、先端部を収容部１５から抜き取ることにより収容部１５を開放する。
【００２３】
袋体１０としては、一例として、折り曲げ線、切欠、切れ目等が予め形成された展開状態の台紙（ブランク材）を折り曲げた後に、所定箇所を接着することで作製されている。袋体１０を構成する材料は特には限定されないが、例えば各種の樹脂製シートや紙材を用いることができる。台紙が紙材である場合、例えば、紙のみからなる厚紙や、紙製シートに各種樹脂をコーティング又は樹脂製シートや蒸着シートを張り合わせた合成紙等が一例として挙げられ、その厚さは、例えば０．２〜２ｍｍ程度、特に０．５〜１．５ｍｍ程度が好ましい。
【００２４】
シート状包装物２０は、内容物Ｔを収納したシート状に形成されている。本実施形態のシート状包装物２０は、一例として、幅方向に二個、長手方向に五個の合計１０個の内容物Ｔが格子状に配列されている。内容物Ｔとしては、特に限定されないが、錠剤やカプセル剤等を選択できる。本実施形態における内容物Ｔは、一例として、略円柱状の錠剤である。
【００２５】
シート状包装物２０は、ＰＴＰ包装されたものであり、収納シート２１と蓋シート２２とを備えている。収納シート２１は、一例として、透明の樹脂材で形成されており、内容物Ｔを収納する収納窪み２３と、収納窪み２３の周囲を囲む平面部２４とを有している。収納シート２１は、一例として、熱可塑性樹脂で形成されている。熱可塑性樹脂としては、特に限定されるものではないが、具体的には、ポリ塩化ビニル系樹脂、ポリ塩化ビニリデン系樹脂、ポリエステル系樹脂、ポリアミド系樹脂、ポリカーボネート系樹脂、アクリル系樹脂、エチレン系樹脂やプロピレン系樹脂などのポリオレフィン系樹脂、環状オレフィン系樹脂、ポリクロロトリフルオロエチレンなどのフッ素系樹脂、などが挙げられる。これらの中で好ましくは、ポリ塩化ビニル系樹脂、ポリ塩化ビニリデン系樹脂、ポリオレフィン系樹脂が、一般的にＰＴＰ用途に好ましく用いられる。
【００２６】
熱可塑性樹脂層は、押出成形法、圧延法、カレンダー成形法など、公知の方法でシート状に成形することで得ることができる。当該層の厚みは、特に限定されるものではないが、実用的には０．１ｍｍ以上、０．４ｍｍ以下であることが好ましい。厚みの下限が上記範囲内であれば、充分なシート剛性や機械特性が得られる。また上限が上記範囲内であれば、ＰＴＰ包装された薬剤等の取り出しで不具合が生じることもない。
熱可塑性樹脂層は、単層であってもよく、異なる材料を組み合わせた２種以上の積層構造であってもよい。また熱可塑性樹脂層には、必要に応じて、プライマー塗布、コロナ処理、プラズマ処理など、公知の表面処理を行ってもよい。
【００２７】
蓋シート２２は、シート状に形成されており、平面部２４の裏面側に融着等により接合されている。蓋シート２２は、収納窪み２３を閉塞する。蓋シート２２としては、アルミニウム箔やフィルム等、従来公知のものを用いることができる。
シート状包装物２０は、収納窪み２３が配置された箇所が最大厚さに形成されている。
【００２８】
係合片３０は、矩形枚葉状の紙片が複数の折り目で折り畳まれることでシート状に形成されたものである。係合片３０を構成する枚葉状の紙片は、一例として、内容物Ｔに関する情報が記載された書類である。内容物Ｔに関する情報としては、内容物Ｔが薬剤の場合には、効能、効果や用法・用量、使用上の注意等が挙げられる。すなわち、内容物が薬剤の場合には、係合片３０を構成する枚葉状の紙片は、薬剤の添付文書（能書）である。
【００２９】
係合片３０の幅は、収容部１５の幅よりも狭く形成されている。係合片３０は、長手方向に関してシート状包装物２０よりも所定長さ以上長く、且つ、二つ折りにされた状態でも収容部１５から突出しない長さ（収容部１５の長さの二倍未満の長さ）に形成されている。
【００３０】
より詳細には、係合片３０は、二つ折りにされた折り目の谷の部分がシート状包装物２０の長手方向の他方側の端縁に係合する。係合片３０は、折り目で折り曲げられた一端側がシート状包装物２０の上面側に配置されている。係合片３０の一端側は、シート状包装物２０における最大厚さとなる部分である収納窪み２３に掛かって配置されている。係合片３０は、折り目で折り曲げられた他端側がシート状包装物２０の下面側に配置されている。係合片３０の他端側の先端は、図１に示されるように、シート状包装物２０とともに収容部１５に収容されたときに、シート状包装物２０の長手方向一方側の端縁よりも一方側に収容部１５から突出しない長さで延出している。従って、係合片３０は、一端側が少なくともシート状包装物２０の他方側端縁から収納窪み２３までの長さと、他端側がシート状包装物２０の他方側端縁から一方側端縁より延出した部分までの長さとを有している。
【００３１】
上記構成の包装体１は、二つ折りにされた折り目の谷の部分がシート状包装物２０の長手方向の他方側の端縁に係合するように係合片３０をシート状包装物２０に重ね合わせ、係合片３０の折り目が奥側に位置するようにシート状包装物２０および係合片３０を袋体１０の切欠部１４から収容部１５に挿入して収容する。
【００３２】
このとき、重ね合わせられたシート状包装物２０と係合片３０との最大厚さは、袋体１０の収容部１５の高さよりも大きいため、上面板１１および下面板１２は、収容部１５にシート状包装物２０と係合片３０とが挿入されることでそれぞれ互いに離間する方向に膨らんで変形する。そのため、シート状包装物２０および係合片３０は、上面板１１および下面板１２の各弾性復元力によって厚さ方向に挟持された状態で収容される。これにより、シート状包装物２０を摘んで収容部１５から不用意に引き出すことが抑制される。
【００３３】
そして、蓋部１３の先端部を切欠部１４を介して収容部１５に挿入することで収容部１５が閉塞される。従って、シート状包装物２０が収容された薄型の包装体１を容易に持ち運ぶことができる。
【００３４】
包装体１からシート状包装物２０を取り出す際には、まず、蓋部１３の先端部を収容部１５から抜き取ることにより切欠部１４および収容部１５を開放する。切欠部１４および収容部１５が開放されると、図４および図５に示すように、シート状包装物２０の一方側よりも延出している係合片３０の先端を摘んで一方側に引き出す。
【００３５】
このとき、係合片３０は、折り目の谷の部分がシート状包装物２０の長手方向の他方側の端縁に係合しており、折り目から延びる一端側および他端側が上面板１１および下面板１２の各弾性復元力によってシート状包装物２０を厚さ方向の両側から挟持する。特に、係合片３０は、一端側においてシート状包装物２０における最大厚さとなる部分に掛かって配置されているため、上面板１１および下面板１２の各弾性復元力によって安定してシート状包装物２０を挟持可能である。そのため、シート状包装物２０に対する係合片３０の係合は解除されない。従って、係合片３０の先端を摘んで一方側に引き出すことに伴ってシート状包装物２０が収容部１５から引き出される。
【００３６】
このように、本実施形態の包装体１では、シート状包装物２０および係合片３０の非収容時における収容部１５の高さが、重ね合わされたシート状包装物２０および係合片３０の最大厚さよりも小さいため、重ね合わされたシート状包装物２０および係合片３０を収容部１５に収容した際には上面板１１および下面板１２の各弾性復元力によってシート状包装物２０が挟持された状態となる。そのため、本実施形態の包装体１では、シート状包装物２０を摘んで収容部１５から不用意に引き出すことが抑制されチャイルドレジスト機能を発現できる。特に、本実施形態の包装体１では、蓋部１３を開いたときにシート状包装物２０が係合片３０よりも開口部において厚さ方向上面側に配置され係合片３０が摘みにくくなっているため、シート状包装物２０を不用意に引き出すことを一層抑制することができる。
【００３７】
また、本実施形態の包装体１では、蓋部１３を開いた後に、シート状包装物２０の一方側よりも延出している係合片３０の先端を摘んで一方側に引き出すことにより、容易にシート状包装物２０を収容部１５から取り出すことができる。従って、本実施形態の包装体１では、力の弱い女性や高齢者であってもシート状包装物２０を容易に取り出すことが可能になる。
【００３８】
また、本実施形態の包装体１では、内容物Ｔが薬剤の場合には、収容部１５に収容する必要がある添付文書（能書）を係合片３０として用いているため、別途、シート状包装物２０に係合する係合片を用いる必要がなく、包装体１のコスト増加を抑えることが可能になる。
【００３９】
［第２実施形態］
次に、包装体１の第２実施形態について、図６乃至図９を参照して説明する。
これらの図において、図１乃至図５に示す第１実施形態の構成要素と同一の要素については同一符号を付し、その説明を省略する。
第２実施の形態と上記の第１実施形態とが異なる点は、シート状包装物の構成である。
【００４０】
図６は、第２実施形態に係る包装体１の平面図である。図７は、同包装体１の正面図である。図６に示すように、第２実施形態における包装体１は、袋体１０の収容部１５にシート状包装物２０Ａが収容されている。
【００４１】
シート状包装物２０Ａは、ＳＰ包装されたものであり、第１フィルムＦ１と第２フィルムＦ２とがヒートシールにより接合されてシート状に形成されている。シート状包装物２０Ａは、内容物Ｔが配置された箇所が最大厚さに形成されている。重ねられたシート状包装物２０Ａおよび係合片３０の最大厚さは、シート状包装物２０Ａおよび係合片３０を収容しない状態での収容部１５の高さよりも大きく形成されている。
【００４２】
第１フィルムＦ１および第２フィルムＦ２としては、例えば、基材フィルム、接着層、アルミニウム箔、アンカーコート層、ポリエチレン系樹脂層を順に積層した積層フィルムを用いることができる。
他の構成は、上記第１実施形態と同様である。
【００４３】
上記構成の包装体１において、包装体１からシート状包装物２０Ａを取り出す際には、第１実施形態と同様に、蓋部１３の先端部を収容部１５から抜き取ることにより切欠部１４および収容部１５を開放した後に、図８および図９に示すように、シート状包装物２０Ａの一方側よりも延出している係合片３０の先端を摘んで一方側に引き出す。
【００４４】
このとき、係合片３０は、折り目の谷の部分がシート状包装物２０Ａの長手方向の他方側の端縁に係合しており、折り目から延びる一端側および他端側が上面板１１および下面板１２の各弾性復元力によってシート状包装物２０Ａを厚さ方向の両側から挟持する。特に、係合片３０は、一端側においてシート状包装物２０Ａにおける最大厚さとなる部分に掛かって配置されているため、上面板１１および下面板１２の各弾性復元力によって安定してシート状包装物２０Ａを挟持可能である。そのため、シート状包装物２０Ａに対する係合片３０の係合は解除されない。従って、係合片３０の先端を摘んで一方側に引き出すことに伴ってシート状包装物２０Ａが収容部１５から引き出される。
【００４５】
このように、本実施形態の包装体１では、ＳＰ包装されたシート状包装物２０Ａが袋体１０の収容部１５に収容されている場合でも、チャイルドレジスト機能を発現しつつ力の弱い女性や高齢者であってもシート状包装物２０Ａを容易に取り出すことが可能になる。
【００４６】
以上、添付図面を参照しながら本発明に係る好適な実施形態について説明したが、本発明は係る例に限定されないことは言うまでもない。上述した例において示した各構成部材の諸形状や組み合わせ等は一例であって、本発明の主旨から逸脱しない範囲において設計要求等に基づき種々変更可能である。
【００４７】
例えば、上記実施形態では、シート状包装物としてＰＴＰ包装物およびＳＰ包装物を例示したが、この構成に限られるものではなく、シート状に包装された他の包装形態であってもよい。
【００４８】
また、上記実施形態では、係合片３０が折り畳まれた能書で形成される構成を例示したが、台紙等で形成された専用の係合片を用いる構成であってもよい。
【符号の説明】
【００４９】
１…包装体、  １０…袋体、  １３…蓋部、  １５…収容部、  ２０、２０Ａ…シート状包装物、  ３０…係合片、  Ｔ…内容物
【図１】
2018135112.tif 000003
【図２】
2018135112.tif 000004
【図３】
2018135112.tif 000005
【図４】
2018135112.tif 000006
【図５】
2018135112.tif 000007
【図６】
2018135112.tif 000008
【図７】
2018135112.tif 000009
【図８】
2018135112.tif 000010
【図９】
2018135112.tif 000011